(57)【要約】      （修正有）【課題】視聴中のテレビジョン放送の番組を非常に簡単な操作で瞬時に録画開始し、自動で録画停止し、再生時には非常に簡単な操作で再生するのに好適な、テレビジョン放送番組の録画装置を提供する。【解決手段】録画装置１００において、停止受付部１０６は停止指示入力信号１４０を受け、制御部１０７に対し所定の録画条件を満たすよう要求し、制御部１０７は出力部１０５が出力しているテレビジョン番組情報を取得して録画条件を決定し、制御部１０７は録画部１０３に対し録画を指示し、録画部１０３は当該録画条件に基づいて録画を開始し、録画終了時刻に録画を停止し、制御部１０７は録画終了後録画装置１００の電源をオフにする。一方、再生選択受付部１０４は再生選択指示入力信号１２０を受けると出力部１０５に対し識別符号に対応する録画番組を再生するように要求し、出力部１０５は対応する録画番組を再生して出力する。【選択図】図１
2006254066.tif 000002
【特許請求の範囲】
【請求項１】
テレビジョン放送のチャンネルからいずれかを指定する出力選択指示入力を受け付けるチャンネル選択受付部、
所定の録画条件が満たされる場合、当該出力選択指示入力に指定されるチャンネルでテレビジョン放送される番組を録画する録画部、
前記録画された番組を指定する再生選択指示入力を受け付ける再生選択受付部、
当該出力選択指示入力が受け付けられた場合、これに指定されるチャンネルでテレビジョン放送される番組を出力し、当該再生選択指示入力が受け付けられた場合、前記録画された番組を出力する出力部、
前記出力部の動作を停止する停止指示入力を受け付ける停止受付部、
当該停止指示入力が受け付けられた場合、前記出力部の動作を停止し、当該所定の録画条件が満たされるものとする制御部
を備えることを特徴とする録画装置。
【請求項２】
請求項１に記載の録画装置であって、
当該停止指示入力が受け付けられた場合、複数の識別符号のいずれを選択するかを指定する録画選択指示入力を受け付ける録画選択受付部
をさらに備え、
前記録画部は、当該録画選択指示入力に指定された識別符号に対応付けて、当該番組を録画し、
前記再生選択受付部が受け付ける再生選択指示入力には、当該複数の識別符号のいずれかが指定され、
前記出力部は、当該再生選択指示入力が受け付けられた場合、当該再生選択指示入力に指定される識別符号に対応付けられて前記録画された番組を出力する
ことを特徴とする物。
【請求項３】
請求項２に記載の録画装置であって、
当該複数の識別符号のそれぞれに対応付けられる複数の押圧操作可能なキー
をさらに備え、
当該押圧操作されたキーに対応付けられる識別符号が、再生選択指示入力および録画選択指示入力に指定される
ことを特徴とする物。
【発明の詳細な説明】
【技術分野】
【０００１】
本発明は、視聴中のテレビジョン放送の番組を非常に簡単な操作で瞬時に録画開始し、自動で録画停止し、録画したテレビジョン放送番組の再生時には非常に簡単な操作で再生するのに好適な、テレビジョン放送の番組を録画・再生する録画装置に関する。
【背景技術】
【０００２】
従来、ユーザは視聴中のテレビジョン放送番組を録画したい場合、ユーザ自身がＶＴＲ（Video Tape Recorder）装置やＤＶＤ(Digital Video Disk)装置等の録画装置を操作して録画していた。また、録画したテレビジョン放送番組を再生して視聴したい場合、ユーザ自身が録画装置を操作して再生していた。
【０００３】
例えば、視聴しているテレビジョン放送番組を急に録画したくなった場合、ユーザは、録画装置の電源を入れ、録画装置のチャンネルを合わせ、録画を開始する必要がある。これらの一連の操作を自動で行い、視聴中のテレビジョン放送番組を録画する録画装置は、特許文献１、特許文献２、および特許文献３によって開示されている。これらの発明は、ユーザがテレビジョン放送番組を視聴し続け、かつ、急に録画をしたくなった場合に瞬時に録画開始できる装置である。
【特許文献１】特開２００１−１３６４７０
【特許文献２】特開２００３−２３４９８８
【特許文献３】特開平１１−３３１７１４
【０００４】
ユーザ自身の何らかの理由により、視聴中のテレビジョン放送番組を途中から視聴できなくなった場合、ユーザは、視聴中のテレビジョン放送番組を録画装置に録画し、後に再生して視聴することになる。
【０００５】
これらの録画装置では、視聴中のテレビジョン放送番組を録画装置に録画したい場合、ユーザ自身が録画装置の電源を入れ、録画装置のチャンネルをテレビジョン受像器のチャンネルと一致させ、録画開始ボタンを押す、という、一連の面倒な操作を行う必要がある。
また、録画を開始したとしても、ユーザ自身が録画を停止し、録画装置の電源を落とし、テレビジョン受像器の電源を落とす、という、一連の操作を行う必要がある。
【０００６】
さらに、録画したテレビジョン放送番組を再生して視聴したい場合、ユーザ自身がテレビジョン受像器の電源を入れ、録画装置の電源を入れ、テレビジョン受像器の画面をビデオ出力画面に切り替え、録画しているテレビジョン放送番組の中から再生したいテレビジョン放送番組を探し当て、再生ボタンを選択する、という、一連の面倒な操作を行う必要がある。
【発明の開示】
【発明が解決しようとする課題】
【０００７】
しかし、従来の装置にあっては、録画装置に録画したテレビジョン放送番組が多数存在する場合、再生したいテレビジョン放送番組を探し当てる煩雑さは、ユーザにとって大きな負担となる。
【０００８】
例えば、病院等の病棟においては、病室内の消灯時間が決まっている。入院患者は、消灯後にテレビジョン放送番組を視聴することができない。そのため、入院患者は、テレビジョン放送番組を視聴し続けたいとしても、消灯時間に視聴を中止しなければならない。
また、病気や怪我を負っている入院患者にとって、上記のような一連の面倒な操作を行うことは大きな負担となる。
【０００９】
本発明は、上記のような課題を解決するためになされたものであり、視聴中のテレビジョン放送の番組を非常に簡単な操作で瞬時に録画開始し、自動で録画停止し、録画したテレビジョン放送番組の再生時には非常に簡単な操作で再生するのに好適な、テレビジョン放送の番組を録画・再生する録画装置を提供することを目的とする。
【課題を解決するための手段】
【００１０】
以上の目的を達成するため、以下の発明を開示する。
本発明に係る録画装置は、チャンネル選択受付部、録画部、再生選択受付部、出力部、停止受付部、制御部、録画選択受付部を備え、以下のように構成する。
すなわち、チャンネル選択受付部は、テレビジョン放送のチャンネルからいずれかを指定する出力選択指示入力を受け付ける。
一方、録画部は、所定の録画条件が満たされる場合、当該出力選択指示入力に指定されるチャンネルでテレビジョン放送される番組を録画する。
また、再生選択受付部は、前記録画された番組を指定する再生選択指示入力を受け付ける。
さらに、出力部は、当該出力選択指示入力が受け付けられた場合、これに指定されるチャンネルでテレビジョン放送される番組を出力し、当該再生選択指示入力が受け付けられた場合、前記録画された番組を出力する。
また、停止受付部は、前記出力部の動作を停止する停止指示入力を受け付ける。
そして、制御部は、当該停止指示入力が受け付けられた場合、前記出力部の動作を停止し、当該所定の録画条件が満たされるものとする。
【００１１】
また、本発明に係る録画装置は、以下のように構成することができる。
すなわち、録画選択受付部は、当該停止指示入力が受け付けられた場合、複数の識別符号のいずれを選択するかを指定する録画選択指示入力を受け付ける。
一方、録画部は、当該録画選択指示入力に指定された識別符号に対応付けて、当該番組を録画する。
また、再生選択受付部が受け付ける再生選択指示入力には、当該複数の識別符号のいずれかが指定される。
さらに、前記出力部は、当該再生選択指示入力が受け付けられた場合、当該再生選択指示入力に指定される識別符号に対応付けられて前記録画された番組を出力する。
【００１２】
また、前記目的を達成するため、本発明に係る録画装置は、複数の押圧操作可能なキーをさらに備え、以下のように構成することができる。
複数の押圧操作可能なキーは、当該複数の識別符号のそれぞれに対応付けられており、当該押圧操作されたキーに対応付けられる識別符号が、再生選択指示入力および録画選択指示入力に指定される。
【発明の効果】
【００１３】
本発明によれば、視聴中のテレビジョン放送の番組を非常に簡単な操作で瞬時に録画開始し、自動で録画停止し、録画したテレビジョン放送番組の再生時には非常に簡単な操作で再生するのに好適な、テレビジョン放送の番組を録画・再生する録画装置を提供することができる。
【発明を実施するための最良の形態】
【００１４】
以下に本発明の実施形態を説明する。以下では、理解を容易にするため、録画データの保存手段としてハードディスク内蔵型ＤＶＤレコーダを用いた実施形態を説明するが、各種のコンピュータ、ＤＶＤレコーダ、ビデオテープレコーダなどの録画装置においても同様に本発明を適用することができる。すなわち、以下に説明する実施形態は説明のためのものであり、本願発明の範囲を制限するものではない。したがって、当業者であればこれらの各要素もしくは全要素をこれと均等なものに置換した実施形態を採用することが可能であるが、これらの実施形態も本発明の範囲に含まれる。
【実施例１】
【００１５】
図１は、本発明の実施形態の一つに係る録画装置１００が実現される典型的な構成を示すブロック図である。
また、図２は、本実施形態に係る録画装置で用いるリモートコントローラ２００の例である。
【００１６】
録画装置１００は、チャンネル選択受付部１０２と、録画部１０３と、再生選択受付部１０４と、出力部１０５と、停止受付部１０６と、制御部１０７と、録画選択受付部１０８と、を備える。更に、録画装置１００は、記録装置１０９と、チューナー部１１０と、ＲＡＭ(Random Access Memory)１１１と、電源部１１２と、ＲＯＭ（Read Only Memory）１１３を備える。
また、録画装置１００は、画像表示装置（モニタ）１９０と接続されている。モニタ１９０は、録画装置１００によって入力される映像信号や音声信号から、ユーザが視聴できる映像や音声を出力する。
【００１７】
リモートコントローラ２００は、電源ボタン２１０と、スピーカ２２０と、選局ボタン２３０と、早送りボタン２４０と、一時停止ボタン２５０と、巻き戻しボタン２６０と、録画番組登録及び再生ボタン２７０と、音量ボタン２８０と、選局ボタン２９０と、を備える。
【００１８】
チャンネル選択受付部１０２は、ユーザから、テレビジョン放送のチャンネル番号の中からいずれのチャンネル番号を選択するかを指定する出力選択指示入力信号１３０を受け付ける。
例えば、本図のリモートコントローラ２００を用いる場合、ユーザが選局ボタン２３０又は２９０を押下すると、リモートコントローラ２００は、ユーザが選択したチャンネル番号に対応する、出力選択指示入力信号１３０を出力する。当該出力選択指示入力信号１３０は、チャンネル選択受付部１０２に入力される。チャンネル選択受付部１０２は、出力部１０５に対して、当該出力選択指示入力信号１３０に対応するチャンネル番号のテレビジョン放送番組の映像等を出力する要求を出す。出力部１０５は、当該出力選択指示入力信号１３０に対応するチャンネル番号のテレビジョン放送番組の映像等をモニタ１９０に出力する。結果として、ユーザは、所望のチャンネル番号のテレビジョン放送番組を視聴することができる。
【００１９】
録画部１０３は、所定の録画条件が満たされる場合、チャンネル選択受付部１０２が受け付けた出力選択指示入力信号１３０で指定されるチャンネル番号のテレビジョン放送番組を典型的には一定時間（３０分、６０分、２時間など）録画する。ここで、所定の録画条件については後述する。また、当該テレビジョン放送番組のチャンネル番号、放送番組の放送開始時刻、放送終了時刻といった、テレビジョン放送番組を録画するために必要なパラメータが有効な値であることが前提となる。
【００２０】
再生選択受付部１０４は、ユーザから、録画部１０３によって録画された録画番組のいずれかを指定する再生選択指示入力信号１２０を受け付ける。
例えば、本図のリモートコントローラ２００を用いる場合、ユーザが録画番組登録及び再生ボタン２７０のいずれかを押下すると、リモートコントローラ２００は、ユーザが押下したボタン番号に対応する再生選択指示入力信号１２０を出力する。当該再生選択指示入力信号１２０は、再生選択受付部１０４に入力される。再生選択受付部１０４は、出力部１０５に対して、当該再生選択指示入力信号１２０に対応する録画番組を再生する要求を出す。出力部１０５は、当該再生選択指示入力信号１２０に対応する録画番組を再生した映像等をモニタ１９０に出力する。結果として、ユーザは、所望の録画番組を再生して視聴することができる。
【００２１】
出力部１０５は、前記出力選択指示入力信号１３０で指定されるチャンネル番号のテレビジョン放送番組を、モニタ１９０に出力する。また、出力部１０５は、当該再生選択指示入力信号１２０で指定される録画番組をモニタ１９０に出力する。
【００２２】
停止受付部１０６は、ユーザから、停止指示入力信号１４０を受け付ける。
例えば、本図のリモートコントローラ２００を用いる場合、ユーザが電源ボタン２１０を押下すると、リモートコントローラ２００は、停止指示入力信号１４０を出力する。当該停止指示入力信号１４０は、停止受付部１０６に入力される。停止受付部１０６は、ユーザが録画番組を再生して視聴している場合、制御部１０７に対して、再生を停止して録画装置１００とモニタ１９０との電源をオフにする要求を出す。また、ユーザがテレビジョン放送番組を視聴している場合、制御部１０７に対して、当該テレビジョン放送番組を録画開始する要求を出す。すなわち、前述の「所定の録画条件」が満たされることとなる。
【００２３】
制御部１０７は、録画装置１００の全体の制御を行う。
例えば、ＲＯＭ１１３に保存されたプログラムに基づいて、録画部１０３によるテレビジョン放送番組の録画処理や、出力部１０５による録画番組の再生処理の制御を行う。また、例えば、テレビジョン放送番組の録画を行う場合に、録画に必要なパラメータ等を決定する。
【００２４】
録画選択受付部１０８は、ユーザからテレビジョン放送番組を録画する要求をされた場合、用意された複数の識別符号のいずれを選択するかを指定する、録画選択指示入力信号１５０を受け付ける。
例えば、本図のリモートコントローラ２００を用いる場合、ユーザが録画番組登録及び再生ボタン２７０のいずれかを押下すると、リモートコントローラ２００は、ユーザが押下したボタン番号に対応した録画選択指示入力信号１５０を出力する。当該録画選択指示入力信号１５０は、録画選択受付部１０８に入力される。録画選択受付部１０８は、当該録画選択指示入力信号１５０に含まれる識別符号に対応する、記録装置１０９の保存領域を選択する。更に、録画選択受付部１０８は、録画部１０３に対して、ユーザが視聴しているテレビジョン放送番組を当該保存領域に録画する要求を出す。録画部１０３は、ユーザが視聴しているテレビジョン放送番組を当該記録領域に録画する。すなわち、ユーザは、所望のテレビジョン放送番組を録画することができる。
【００２５】
記録装置１０９は、録画部１０３によって録画される映像データ等を保存する。例えば、記録装置１０９として、ハードディスクドライブ、ＤＶＤ−ＲＷドライブ等を用いることができる。記録装置１０９が映像データ等を保存する領域は、論理的に、複数の領域に分割されている。
図３は、記録装置１０９が映像データ等を保存する録画データ保存領域３００の論理マップの例である。
例えば、本図では、記録装置１０９が映像データ等を保存する録画データ保存領域３００は、リモートコントローラ２００に用意されている録画番組登録及び再生ボタン２７０の数と一致している。録画番組登録及び再生ボタン２７０の識別符号「Ｖ１」には、保存領域３１０が対応している。尚、各保存領域３１０〜３６０のデータ容量は可変であり、各保存領域のデータ容量の総和は不変である。
ここで、例えば、保存領域の数を、録画番組登録及び再生ボタン２７０の識別符号の数より多くしても良い。
【００２６】
チューナー部１１０は、テレビジョン放送の各チャンネルの映像信号や音声信号等を受信し、デコードする機能を有する。
例えば、チューナー部１１０は、無線信号を受信するアンテナを備えていても良いし、あるいは、ケーブルを用いて直接映像信号や音声信号等を受信しても良い。
【００２７】
ＲＡＭ１１１は、出力部１０５や録画部１０３等が、チャンネル番号等の設定値を一時的に保存するためのメモリである。ＲＡＭ１１１は、録画装置１００が最後に選択したチャンネル番号を保存する。この時、録画装置１００は、ＲＡＭ１１１の一部を残したまま電源オフにするか、または、当該チャンネル番号を記録装置１０９に保存するか、のどちらでもよい。
【００２８】
電源部１１２は、録画装置１００の電源である。録画装置１００の電源は、直接録画装置１００本体の電源スイッチの押下によってオフになる。さらに、前述したように、録画装置１００の電源は、制御部１０７からの要求によってもオフになり、また、モニタ１９０の電源もオフになる。例えば、録画装置１００がテレビジョン放送番組を録画終了すると、録画装置１００およびモニタ１９０の電源をオフにする。
【００２９】
ＲＯＭ１１３は、録画装置１００を制御するプログラム等を保存している。
【００３０】
次に、本発明の実施形態の１つに係る録画装置１００の動作について説明する。
図４乃至図８は、本発明の実施形態の１つに係る録画装置１００の電源をオンにした場合のフロー図である。
【００３１】
ユーザは、テレビジョン放送番組を視聴したい場合、または、録画装置１００で録画した番組を視聴したい場合、モニタ１９０の電源をオンにする。本実施の形態では、モニタ１９０の電源をオンにすると同時に、自動的に録画装置１００の電源もオンにする。ただし、電源オン／オフ操作は、録画装置１００とモニタ１９０とで独立させて操作できるようにしてもよい。
【００３２】
録画装置１００の電源がオンになると、録画装置１００は、前回電源オフ時に選択されていたチャンネル番号を、ＲＡＭ１１１から取得する（ステップＳ４１０）。そして、録画装置１００は、ＲＡＭ１１１から取得したチャンネル番号のテレビジョン放送番組をモニタ１９０に表示する（ステップＳ４２０）。その後、録画装置１００は、リモートコントローラ２００からいずれかのボタンが押下されるのを待機する（ステップＳ４３０）。リモートコントローラ２００からいずれかのボタンが押下されるのを待機する間、ユーザは、ＲＡＭ１１１から取得したチャンネル番号のテレビジョン放送番組を視聴することができる。
【００３３】
次に、ステップＳ４３０の待機状態において、ユーザによってリモートコントローラ２００のいずれかのボタンが押下された場合について、順に説明する。
【００３４】
第１のケースとして、ステップＳ４３０の待機状態において、ユーザによってリモートコントローラ２００の選局ボタン２３０又は２９０が押下された場合（ステップＳ４４０）の説明をする。
【００３５】
ユーザによってリモートコントローラ２００の選局ボタン２３０又は２９０が押下されると、録画装置１００は、録画装置１００が受信しているチャンネル番号を、ユーザによって選択されたチャンネル番号に変更する動作を行う（ステップＳ４４０）。ただし、録画装置１００は、モニタ１９０に当該チャンネル番号のテレビジョン放送番組を出力するが、録画は行わない。以下に録画装置１００の動作を詳述する。
【００３６】
図５は、ステップＳ４４０における動作の詳細を示したものである。
まず、制御部１０７は、出力部１０５が録画番組を再生中か否かを判定する（ステップＳ５０１）。出力部１０５が録画番組を再生中の場合（ステップＳ５０１でＹｅｓ）、制御部１０７は、出力部１０５に対し、再生を停止させる（ステップＳ５０２）。
次に、制御部１０７は、いずれのチャンネル番号を選択しているかを示す変数を初期化する（ステップＳ５１０）。さらに、制御部１０７は、ユーザによって選択されたチャンネル番号と、当該変数とを比較する（ステップＳ５２０）。ユーザによって選択されたチャンネル番号と当該変数とが一致した場合、制御部１０７は、出力部１０５に対し、当該変数に対応するテレビジョン放送番組を受信させ、モニタ１９０に出力させる（ステップＳ５３０）。一方、ユーザによって選択されたチャンネル番号と当該変数とが一致しない場合、制御部１０７は、当該変数をインクリメントする（ステップＳ５４０）。さらに、当該変数が録画装置１００の受信可能なチャンネル数Ｎ以下の場合（ステップＳ５５０でＮｏ）、ユーザによって選択されたチャンネル番号と当該変数とを比較する（ステップＳ５２０に戻る）。一方、当該変数が録画装置１００の受信可能なチャンネル数Ｎより大きい場合（ステップＳ５５０でＹｅｓ）、選局ボタン２３０又は２９０の押下処理は終了する。
結果として、ユーザは、選択したチャンネル番号のテレビジョン放送番組を視聴することができる。
【００３７】
第２のケースとして、ステップＳ４３０の待機状態において、ユーザによってリモートコントローラ２００の電源ボタン２１０が押下された場合（ステップＳ４５０）の説明をする。
【００３８】
図６は、ステップＳ４３０の待機状態において、ユーザによってリモートコントローラ２００の電源ボタン２１０が押下された場合の動作を、詳細について説明するフローチャートである。
【００３９】
ユーザによってリモートコントローラ２００の電源ボタン２１０が押下されると、録画装置１００は、モニタ１９０の電源をオフ（待機状態）にする。録画装置１００は、ユーザが視聴しているテレビジョン放送番組を録画開始する。また、録画装置１００は、一定時間（例えば、３０分、６０分、２時間など）当該テレビジョン放送番組を録画するか、または、当該テレビジョン放送番組が終了した時点で録画終了する。さらに、録画装置１００は、録画装置１００の電源部１１２をオフ（待機状態）にする。このとき、録画開始から電源オフまでの動作は、録画装置１００によって自動的に行われる。
つまり、ユーザは、ユーザ自身の何らかの理由により、視聴中のテレビジョン放送番組を途中から視聴できなくなったとしても、面倒な操作を一切することなく、当該テレビジョン放送番組を録画装置に録画でき、後に再生して視聴することができる。以下に録画装置１００の動作を詳述する。
【００４０】
ステップＳ４３０の待機状態において、ユーザによってリモートコントローラ２００の電源ボタン２１０が押下されると、まず、制御部１０７は、出力部１０５が録画番組を再生中か否かを判定する（ステップＳ６０１）。
【００４１】
録画番組の再生中であると判断した場合（ステップＳ６０１でＹｅｓ）、制御部１０７は、出力部１０５に対し、再生動作を停止させ（ステップＳ６０２）、続いてモニタ１９０の電源をオフにし（ステップＳ６０３）、録画装置１００の電源をオフ（待機状態）にする（ステップＳ６１２）。
【００４２】
一方、制御部１０７が録画番組の再生中でないと判断した場合（ステップＳ６０１でＮｏ）、出力部１０５はテレビジョン放送番組を出力中であることになる。
制御部１０７は、出力部１０５が出力しているチャンネル番号を取得する（ステップＳ６０４）。更に、制御部１０７は、出力部１０５が出力しているテレビジョン放送番組に関する情報を、ＥＰＧ（Electrical Program Guide）等から取得する（ステップＳ６０５）。当該情報には、テレビジョン放送番組の番組名、チャンネル、放送開始時刻、放送終了時刻等が含まれる。
【００４３】
次に、制御部１０７は、記録装置１０９の保存領域３００の中から、録画データを保存する領域を選択する（ステップＳ６０６）。本実施形態では、ユーザがリモートコントローラ２００の録画番組登録及び再生ボタン２７０のいずれかを押下することによって、保存する領域が選択される（ステップＳ６０７）。つまり、ユーザは、リモートコントローラ２００のいずれかのボタン番号を押下するだけでよい。
【００４４】
この時、どの保存領域に保存するかの選択を、制御部１０７が自動的に行うことも可能である。
例えば、制御部１０７は、保存領域３００の中から空いている保存領域を自動的に選択し、選択したボタン番号をモニタ１９０に表示するようにしてもよい。
例えば、制御部１０７は、既に録画番組を保存した保存領域の中から、時間的に最も古いテレビジョン放送番組が保存されている保存領域を自動的に選択し、選択したボタン番号をモニタ１９０に表示するようにしてもよい。この場合、録画装置１００は、時間的に最も古く録画された録画番組を消去し、録画データを上書き保存することになる。
また、既定時間以内（具体的には例えば５分以内等）に録画番組登録及び再生ボタン２７０が押下されなかった場合、制御部１０７は、既に録画番組を保存した保存領域の中から、時間的に最も古いテレビジョン放送番組が保存されている保存領域を自動的に選択するようにしてもよい。
【００４５】
さらに、ユーザがリモートコントローラ２００のどのボタン番号を押下したかを覚えなくてもよいように改良することも可能である。
例えば、ユーザ自身による選択、あるいは、制御部１０７による自動選択の結果、選択されたボタン番号を、ＲＡＭ１１１又は記録装置１０９に保存する。そして、制御部１０７は、次回録画装置１００の電源がオンになった時のモニタ１９０の初期画面に、ＲＡＭ１１１又は記録装置１０９に保存しているボタン番号を表示するように制御してもよい。
【００４６】
例えば、録画を開始するテレビジョン放送番組に関する情報をＥＰＧ等から取得できなかった場合、録画装置１００は、あらかじめ定めた一定時間（例えば、３０分、６０分、２時間など）録画することとする。
尚、この場合、録画装置１００は、録画終了時刻等の設定をモニタ１９０に表示し、ユーザにチェックを促すこととしてもよい。さらに、録画終了時刻等の設定をモニタ１９０に表示し、録画終了時刻等の設定を変更できるようにしてもよい。
また、ＥＰＧ等を一切用いず、あらかじめ定めた一定時間録画するようにしてもよい。
このように、制御部１０７は、録画するための録画条件を決定する。
【００４７】
次に、制御部１０７は、モニタ１９０の電源をオフ（待機状態）にする（ステップＳ６０８）。さらに、制御部１０７は、選択された保存領域に当該放送番組の録画を開始する（ステップＳ６０９）。
【００４８】
その後、制御部１０７は、当該テレビジョン放送番組の録画終了時刻か否か、を判定する（ステップＳ６１０）。当該テレビジョン放送番組の録画終了時刻に至っていない場合、録画部１０３は、当該放送番組の録画を引き続き行う。
【００４９】
次に、制御部１０７は、当該テレビジョン放送番組の録画終了時刻に至った場合、録画部１０３に対し、当該テレビジョン放送番組の録画を終了させる（ステップＳ６１１）。さらに、制御部１０７は、録画装置１００の電源をオフ（待機状態）にする（ステップＳ６１２）。
【００５０】
このように、ユーザは、ユーザ自身の何らかの理由により、視聴中のテレビジョン放送番組を途中から視聴できなくなったとしても、面倒な操作を一切することなく、当該テレビジョン放送番組を録画装置に録画することができる。また、録画したテレビジョン放送番組を再生して視聴することができる。
【００５１】
第３のケースとして、ステップＳ４３０の待機状態において、ユーザによってリモートコントローラ２００の録画番組登録及び再生ボタン２７０が押下された場合（ステップＳ４６０）の説明をする。
図７は、ステップＳ４３０の待機状態において、ユーザによってリモートコントローラ２００の録画番組登録及び再生ボタン２７０が押下された場合の動作を、詳細について説明するフローチャートである。
【００５２】
ユーザによってリモートコントローラ２００の録画番組登録及び再生ボタン２７０が押下されると、録画装置１００は、ボタン２７０に対応する録画番組を再生する。または、ボタン２７０に対応する保存領域に対してテレビジョン放送番組を録画する。したがって、ユーザは、面倒な操作を一切することなく、録画番組を再生して視聴することができる。あるいは、ユーザは、面倒な操作を一切することなく、テレビジョン放送番組を録画することができる。以下、録画装置１００の動作を詳述する。
【００５３】
ステップＳ４３０の待機状態において、ユーザによってリモートコントローラ２００の録画番組登録及び再生ボタン２７０が押下されると、まず、制御部１０７は、出力部１０５が録画番組を再生中か否か、を判定する（ステップＳ７０１）。
【００５４】
制御部１０７は、録画番組の再生中であると判断した場合（ステップＳ７０１でＹｅｓ）、再生動作を停止するか否かを判定する（ステップＳ７０２）。この判定は、モニタ１９０に再生を停止するか否かのメッセージを表示し、ユーザからの再生を停止するか否かの入力によって行われる。
ユーザによって再生を停止することが選択された場合、制御部１０７は、出力部１０５に対し、録画番組の再生を停止させる（ステップＳ７０３）。更に、制御部１０７は、出力部１０５に対し、ボタン２７０に対応する録画番組の再生を開始させる（ステップＳ７０４）。
ユーザによって再生を停止しないことが選択された場合、制御部１０７は、出力部１０５に対し、録画番組の再生を続行させる。
【００５５】
ただし、想定されるユーザによっては、ステップＳ７０２で行われる、再生を停止するか否かの判定を省略し、直ちにボタン２７０に対応する録画番組を再生開始するようにしてもよい。
【００５６】
一方、制御部１０７が録画番組の再生中でないと判断した場合（ステップＳ７０１でＮｏ）、出力部１０５はテレビジョン放送番組を出力中であることになる。制御部１０７は、出力部１０５に対し、押下されたボタン番号に対応した録画番組を再生させる（ステップＳ７０４）。
【００５７】
このように、ユーザは、面倒な操作を一切行うことなく、録画番組を再生して視聴することができる。
【００５８】
第４のケースとして、ステップＳ４３０の待機状態において、ユーザによって、第１のケース乃至第３のケース以外のボタンが押下された場合（ステップＳ４７０）の説明をする。つまり、リモートコントローラ２００の場合、一時停止ボタン２５０と、早送りボタン２４０と、巻き戻しボタン２６０と、音量ボタン２８０と、のいずれかのボタンが押下された場合について、以下に詳述する。
【００５９】
図８は、ステップＳ４３０の待機状態において、一時停止ボタン２５０と、早送りボタン２４０と、巻き戻しボタン２６０と、音量ボタン２８０と、のいずれかのボタンが押下された場合の動作を示すフロー図である。
【００６０】
まず、ユーザによって、一時停止ボタン２５０が押下された場合の説明をする。
【００６１】
ユーザによって、一時停止ボタン２５０が押下された場合、出力部１０５は、再生動作を一時停止する（ステップＳ８０１）。そして、出力部１０５は、もう１回一時停止ボタン２５０が１回押下されるまで一時停止動作を続ける（ステップＳ８０２でＮｏ）。一時停止ボタン２５０が２回目に押下されると（ステップＳ８０２でＹｅｓ）、出力部１０５は、一時停止動作から通常の再生動作に切り替える（ステップＳ８０３）。
【００６２】
次に、ユーザによって、早送りボタン２４０が押下された場合の説明をする。
【００６３】
ユーザによって、早送りボタン２４０が１回押下されると、出力部１０５は、通常の再生動作から早送り再生動作に切り替える（ステップＳ８１１）。そして、出力部１０５は、もう１回早送りボタン２４０が１回押下されるまで早送り再生動作を続ける（ステップＳ８１２でＮｏ）。早送りボタン２４０が２回目に押下されると（ステップＳ８１２でＹｅｓ）、出力部１０５は、早送り再生動作から通常の再生動作に切り替える（ステップＳ８１３）。
【００６４】
次に、ユーザによって、巻き戻しボタン２６０が押下された場合の説明をする。
【００６５】
ユーザによって、巻き戻しボタン２６０が１回押下されると、出力部１０５は、通常の再生動作から巻き戻し再生動作に切り替える（ステップＳ８２１）。そして、出力部１０５は、もう１回巻き戻しボタン２６０が１回押下されるまで巻き戻し再生動作を続ける（ステップＳ８２２でＮｏ）。巻き戻しボタン２６０が２回目に押下されると（ステップＳ８２２でＹｅｓ）、出力部１０５は、巻き戻し再生動作から通常の再生動作に切り替える（ステップＳ８２３）。
【００６６】
次に、ユーザによって、音量ボタン２８０が押下された場合の説明をする。
【００６７】
音量ボタン２８０は、音量ボタン２８０の上部が押下された場合と、下部が押下された場合とで、動作が異なる。
ユーザによって、音量ボタン２８０の上部が押下されると（ステップＳ８３１でＹｅｓ）、出力部１０５は、出力する音声の大きさを大きくする（ステップＳ８３２）。
一方、ユーザによって、音量ボタン２８０の下部が押下されると（ステップＳ８３１でＮｏ）、出力部１０５は、出力する音声の大きさを小さくする（ステップＳ８３３）。
【００６８】
このように、本実施の形態の録画装置１００は、ユーザが視聴しているテレビジョン放送番組を非常に簡単な操作によって瞬時に録画開始し、番組終了後に自動で停止することができる。また、録画装置１００は、録画したテレビジョン放送番組を非常に簡単な操作によって再生することができる。
【実施例２】
【００６９】
次に、本発明の第２の実施形態を説明する。
本実施形態に係る録画装置は、本発明の第１の実施形態よりも更にユーザへの負担を軽減できる録画装置である。
【００７０】
本実施形態に係る録画装置が実現される典型的な構成は、図１に示す本発明の第１の実施形態に係る録画装置の場合と同じであるため、説明は省略する。
【００７１】
図９は、本実施形態に係る録画装置で用いるリモートコントローラ９００の例である。
図９に示すとおり、このリモートコントローラ９００には、録画番組登録及び再生ボタン２７０に相当するボタンが無い。また、選局ボタン２３０が担う機能は、選局ボタン２９０の上部又は下部を押下することで実現できる。そのため、本実施の形態では、選局ボタン９９０のみを装備している。
【００７２】
このようなシンプルな構成を組むことによって、ユーザは、非常に簡単な操作だけで、本発明に係る録画装置を使用することができる。また、ユーザは、非常に簡単な操作だけで、本発明に係る録画装置を使用することができることを一目で認識することができる、という効果がある。
【００７３】
次に、リモートコントローラ９００の各ボタンが押下された場合の動作を説明する。
【００７４】
リモートコントローラ９００は、電源ボタン９００と、早送りボタン９４０と、再生・一時停止ボタン９５０と、巻き戻しボタン９６０と、音量ボタン９８０と、選局ボタン９９０と、を備える。
【００７５】
まず、電源ボタン９１０が押下された場合の録画装置１００の動作について説明する。
図１０は、電源ボタン９１０が押下された場合の録画装置１００の動作の詳細を説明するフローチャートである。
本発明の第１の実施形態と異なる点は、出力部１０５がテレビジョン放送番組を出力中に、ユーザによって電源ボタン９１０が押下されると、直ちに当該テレビジョン放送番組を録画開始する点である。つまり、第１の実施形態のステップＳ６０６及びステップＳ６０７における、ユーザが保存領域を指定する（Ｖ１乃至Ｖ６ボタンを押下する）手順が必要ない。
【００７６】
例えば、ユーザがテレビジョン放送番組を視聴中に急用が発生した場合、当該テレビジョン放送番組を録画したいとする。この場合、ユーザは、電源ボタン９１０を押下するだけでよい。つまり、どの保存領域に録画するかを決定する手間が省ける。また、どの保存領域に録画したかを記憶しておく必要もない。
【００７７】
次に、再生・一時停止ボタン９５０が押下された場合の録画装置１００の動作を説明する。
図１１は、再生・一時停止ボタン９５０が押下された場合の録画装置１００の動作の詳細を説明するフローチャートである。
本発明の第１の実施形態と異なる点は、再生・一時停止ボタン９５０が押下された時に、制御部１０７が、出力部１０５によって録画番組を再生中であるか否か、を判定するステップ（ステップＳ１１０１）が追加されている点である。
また、本ボタンは、再生を一時停止する機能の他に、再生を開始する機能も有している。
【００７８】
ステップＳ１１０１において、制御部１０７が出力部１０５によって録画番組を再生中であると判断した場合、制御部１０７は、本発明の第１の実施形態と同様に、出力部１０５に対し、再生を一時停止させる（ステップＳ１１０３）。次に、再生・一時停止ボタン９５０がもう一回押下されるのを待機する。再生・一時停止ボタンがもう一回押下されると（ステップＳ１１０４でＹｅｓ）、制御部１０７は、出力部１０５に対し、再生を再開させる（ステップＳ１１０５）。出力部１０５は、一時停止動作から通常の再生動作に切り替える。
【００７９】
ステップＳ１１０１において、制御部１０７が出力部１０５によって録画番組を再生中でないと判断した場合（ステップＳ１１０１でＮｏ）、制御部１０７は、出力部１０５に対し、録画番組の再生を開始させる（ステップＳ１１０２）。
つまり、ユーザは、再生・一時停止ボタン９５０を押下することによって、再生を開始、一時停止、または再開することができる。
【００８０】
例えば、ユーザがテレビジョン放送番組を視聴中に急用が発生し、録画装置１００の電源ボタンを押下し、当該テレビジョン放送番組を録画したとする。ユーザは、用事が済み、録画した当該テレビジョン放送番組を再生して視聴したいとする。ユーザは、まず、モニタ１９０および録画装置１００の電源をオンにする。その後、ユーザは、再生・一時停止ボタン９５０を１回押すだけで、録画した当該テレビジョン放送番組を再生して視聴することができる。
つまり、ユーザは、録画したテレビジョン放送番組を非常に簡単な操作によって再生し視聴することができる。
【００８１】
一方、早送りボタン９４０と、巻き戻しボタン９６０と、音量ボタン９８０と、選局ボタン９９０と、が押下された場合の録画装置１００の動作は、本発明の第１の実施形態と同じであるため、省略する。
【００８２】
更に、本実施形態を改良することも可能である。
例えば、再生・一時停止ボタン９５０だけでなく、早送りボタン９４０と巻き戻しボタン９６０とにおいても、ステップＳ１１０１およびステップＳ１１０２に相当するステップを追加してもよい。これにより、録画装置１００が録画番組を再生中でない場合、ユーザは、早送りボタン９４０と、再生・一時停止ボタン９５０と、巻き戻しボタン９６０とのいずれかのボタンを１回押下すれば、録画番組を再生することができる。つまり、ユーザは、どのボタンが再生開始の機能を有するかを覚える必要がない。
【００８３】
また、例えば、電源がオフの状態（待機状態）において電源ボタン９１０が押下された場合、直ちに録画番組の再生動作を開始するようにしてもよい。
例えば、ユーザがテレビジョン放送番組を視聴中に急用が発生し、録画装置１００の電源ボタンを押下し、当該テレビジョン放送番組を録画していたとする。ユーザは、用事が済み、録画した当該テレビジョン放送番組を再生して視聴したいとする。ユーザは、電源ボタン９１０を押して電源をオンにするだけで、録画した当該テレビジョン放送番組を再生して視聴することができる。
【実施例３】
【００８４】
本発明に係る第３の実施形態は、本発明の第１の実施形態における、録画番組登録及び再生ボタン２７０の使用用途を拡張することによって、更に録画装置１００の機能を拡張したものである。
【００８５】
つまり、本実施形態における録画装置１００は、テレビジョン放送番組を出力中に録画番組登録及び再生ボタン２７０が押下されると、当該テレビジョン放送番組を録画開始できる機能を有する。
【００８６】
図１２は、本実施形態において、録画番組登録及び再生ボタン２７０が押下された場合のフローチャートである。
【００８７】
まず、ステップＳ４３０の待機状態において、ユーザによってリモートコントローラ２００の録画番組登録及び再生ボタン２７０が押下されると、制御部１０７は、出力部１０５が録画番組を再生中か否か、を判定する（ステップＳ１２０１）。
【００８８】
録画番組の再生中であると判断した場合（ステップＳ１２０１でＹｅｓ）、録画装置１００は、再生を停止するかの否かを判定する（ステップＳ１２０２）。この判定は、モニタ１９０に再生を停止するか否かのメッセージを表示し、ユーザからの再生を停止するか否かの入力によって行われる。
【００８９】
ユーザによって再生を停止することが選択された場合、制御部１０７は、出力部１０５に対し、録画番組の再生を停止させる（ステップ１２０３）。更に、制御部１０７は、出力部１０５に対し、ボタン２７０に対応する録画番組の再生を開始させる（ステップＳ１２０４）。
ユーザによって再生を停止しないことが選択された場合、制御部１０７は、出力部１０５に対し、録画番組を再生を停止させず、再生を続行させる。
【００９０】
ただし、想定されるユーザによっては、ステップＳ１２０２で行われる、再生を停止するか否かの判定を省略し、直ちにボタン２７０に対応する録画番組を再生開始するようにしてもよい。
【００９１】
次に、ステップＳ４３０の待機状態において、ユーザによってリモートコントローラ２００の録画番組登録及び再生ボタン２７０が押下され、ステップＳ１２０１において録画番組の再生中でないと判断した場合（ステップＳ１２０１でＮｏ）の説明をする。この場合、出力部１０５はテレビジョン放送番組を出力中であることになる。
【００９２】
制御部１０７は、出力部１０５が出力しているチャンネル番号を取得する（ステップＳ１２０５）。更に、制御部１０７は、出力部１０５が出力しているテレビジョン放送番組に関する情報を、ＥＰＧ（Electrical Program Guide）等から取得する（ステップＳ１２０６）。当該情報には、テレビジョン放送番組の番組名、チャンネル、放送開始時刻、放送終了時刻等が含まれる。
【００９３】
例えば、録画を開始するテレビジョン放送番組に関する情報をＥＰＧ等から取得できなかった場合、録画装置１００は、あらかじめ定めた一定時間（例えば、３０分、６０分、２時間など）録画することとする。
尚、この場合、録画装置１００は、録画終了時刻等の設定をモニタ１９０に表示し、ユーザにチェックを促すこととしてもよい。さらに、録画終了時刻等の設定をモニタ１９０に表示し、録画終了時刻等の設定を変更できるようにしてもよい。
また、ＥＰＧ等を一切用いず、あらかじめ定めた一定時間録画するようにしてもよい。
このように、制御部１０７は、録画するための録画条件を決定する。
【００９４】
次に、制御部１０７は、モニタ１９０の電源をオフ（待機状態）にする（ステップＳ１２０７）。さらに、制御部１０７は、録画部１０３に対し、押下された録画番組登録及び再生ボタン２７０のボタン番号に対応する保存領域への当該放送番組の録画を開始させる（ステップＳ１２０８）。
【００９５】
その後、制御部１０７は、当該テレビジョン放送番組の録画終了時刻か否か、を判定する（ステップＳ１２０９）。当該テレビジョン放送番組の録画終了時刻に至っていない場合、録画部１０３は、当該テレビジョン放送番組の録画を引き続き行う。
【００９６】
次に、制御部１０７は、当該テレビジョン放送番組の録画終了時刻に至った場合、録画部１０３に対し、当該テレビジョン放送番組の録画を終了させる（ステップＳ１２１０）。さらに、制御部１０７は、録画装置１００の電源をオフ（待機状態）にする（ステップＳ１２１１）。
【００９７】
このように、本実施形態では、録画装置１００は、テレビジョン放送番組を出力中に録画番組登録及び再生ボタン２７０が押下されると、当該テレビジョン放送番組を録画開始することができる。
つまり、ユーザは、テレビジョン放送番組を視聴中に録画番組登録及び再生ボタン２７０を押下することによって、所望の識別符号（本実施形態では、Ｖ１乃至Ｖ６）に対応づけて当該テレビジョン放送番組を録画することができる。この場合、直接電源ボタン２１０を押下した場合にどの保存領域に保存するかを選択するステップ（ステップＳ６０６及びステップＳ６０７）を省略することができる。
【実施例４】
【００９８】
本発明に係る第４の実施形態は、本発明の第１の実施形態と異なり、録画データ保存領域の選択を自動で行い、直ちに録画開始する。以下詳述する。
【００９９】
まず、出力部１０５がテレビジョン放送番組を出力中にユーザによって電源ボタン２１０が押下されると、制御部１０７は、出力部１０５が出力しているチャンネル番号を取得する（ステップＳ６０４）。さらに、制御部１０７は、出力部１０５が出力しているテレビジョン放送番組に関する情報をＥＰＧ等から取得する（ステップＳ６０５）。
【０１００】
次に、制御部１０７は、録画データを保存する領域として、Ｖ１乃至Ｖ６ボタンに対応する保存領域３１０乃至３６０の中から、時間的に最も古い録画データが保存されている保存領域を選択する。つまり、制御部１０７は、保存領域をユーザによるボタン押下によって決定するのではなく、既に保存されている録画データの録画日時によって自動で決定する。これによって、ユーザがＶ１乃至Ｖ６ボタンを押下して保存領域を決定するステップＳ６０６乃至Ｓ６０７を省略することができる。そして、制御部１０７はモニタの電源をオフにし（ステップＳ６０８）、選択した保存領域に録画を開始する（ステップＳ６０９）。これ以降のステップは第１の実施形態と同じであるため省略する。
【０１０１】
例えば、ユーザがテレビジョン放送番組を視聴中に急用が発生し、視聴を中止しなければならないとする。ユーザは、電源ボタンを押下するだけで、当該番組を録画することができる。また、都合の良い時間に録画した番組を再生して視聴することができる。
【０１０２】
以上、本発明に係る実施形態の幾つかを説明したが、例えば、以上のような本発明の実施形態を、テレビジョン放送番組の視聴時間が限られている環境において有効に使用することができる。
【０１０３】
例えば、病院等の病棟においては、病室内の消灯時間が決まっている。入院患者は、消灯後にテレビジョン放送番組を視聴することができない。そのため、入院患者は、テレビジョン放送番組を視聴し続けたいとしても、消灯時間に視聴を中止しなければならない。
しかし、本発明に係る録画装置を用いると、入院患者が消灯時間にやむを得ず録画装置の電源をオフにしても、自動的に視聴中のテレビジョン放送番組を録画することができる。そして、入院患者は、翌日以降の都合の良い時間に、当該放送番組を視聴することができる。
【産業上の利用可能性】
【０１０４】
以上説明したように、本発明によれば、ユーザが視聴しているテレビジョン放送番組を非常に簡単な操作によって瞬時に録画開始し、番組終了後に自動で停止することができる録画装置を提供することができる。また、録画したテレビジョン放送番組を非常に簡単な操作によって再生することができる録画装置を提供することができる。
【図面の簡単な説明】
【０１０５】
【図１】本発明に係る録画装置の構成例を示すブロック図である。
【図２】本発明に係る録画装置で用いるリモートコントローラの外観図である。
【図３】本発明に係る録画装置が備える、録画データの保存領域を、概念的に示す図である。
【図４】本発明に係る録画装置の電源がオンになった場合の動作を説明する図である。
【図５】リモートコントローラの選局ボタンが押下された場合の動作を説明するフローチャートである。
【図６】リモートコントローラの電源ボタンが押下された場合の動作を説明するフローチャートである。
【図７】リモートコントローラの録画番組登録及び再生ボタンが押下された場合の動作を説明するフローチャートである。
【図８】リモートコントローラのその他のボタン（選局ボタンと、電源ボタンと、録画番組登録及び再生ボタンと、を除くボタン）が押下された場合の動作を説明するフローチャートである。
【図９】本発明に係る録画装置で用いるリモートコントローラの外観図である。
【図１０】リモートコントローラ電源ボタンが押下された場合の動作を説明するフローチャートである。
【図１１】リモートコントローラの再生・一時停止ボタンが押下された場合の動作を説明するフローチャートである。
【図１２】リモートコントローラの録画番組登録及び再生ボタンが押下された場合の動作を説明するフローチャートである。
【符号の簡単な説明】
【０１０６】
１００  録画装置
１０２  チャンネル選択受付部
１０３  録画部
１０４  再生選択受付部
１０５  出力部
１０６  停止受付部
１０７  制御部
１０８  録画選択受付部
１０９  記録装置
１１０  チューナー部
１１１  ＲＡＭ
１１２  電源部
１１３  ＲＯＭ
１２０  再生選択指示入力信号
１３０  出力選択指示入力信号
１４０  停止指示入力信号
１５０  録画選択指示入力信号
１９０  モニタ
２００  リモートコントローラ
２１０  電源ボタン
２２０  スピーカ
２３０  選局ボタン
２４０  早送りボタン
２５０  一時停止ボタン
２６０  巻き戻しボタン
２７０  録画番組登録及び再生ボタン
２８０  音量ボタン
２９０  選局ボタン
３００  録画データ保存領域
３１０  識別符号Ｖ１に対応する保存領域
３２０  識別符号Ｖ２に対応する保存領域
３３０  識別符号Ｖ３に対応する保存領域
３４０  識別符号Ｖ４に対応する保存領域
３５０  識別符号Ｖ５に対応する保存領域
３６０  識別符号Ｖ６に対応する保存領域
９００  リモートコントローラ
９１０  電源ボタン
９４０  早送りボタン
９５０  再生・一時停止ボタン
９６０  巻き戻しボタン
９８０  音量ボタン
９９０  選局ボタン
【図１】
2006254066.tif 000003
【図２】
2006254066.tif 000004
【図３】
2006254066.tif 000005
【図４】
2006254066.tif 000006
【図５】
2006254066.tif 000007
【図６】
2006254066.tif 000008
【図７】
2006254066.tif 000009
【図８】
2006254066.tif 000010
【図９】
2006254066.tif 000011
【図１０】
2006254066.tif 000012
【図１１】
2006254066.tif 000013
【図１２】
2006254066.tif 000014